(57)【要約】【課題】セシウム１３７等の汚染物質自体を根本的に除去することができる放射性汚染物質の除染方法を提供する。【解決手段】セシウムを含有する放射性汚染物質Ｘに、糸状菌と担子菌と栄養補助多糖類を添加し、水分を加え、撹拌し、前記菌を培養することで、前記汚染物質から前記セシウムを除去する。菌の培養を、温度３５−７０℃、湿度６０−８０％で行うことが好ましい。汚染物質Ｘは、樹木の落ち葉、稲ワラ、木材チップ、雑草、野菜の残渣を含む。【選択図】図１
2013217820.tif 000002
【特許請求の範囲】
【請求項１】
セシウムを含有する放射性汚染物質に、糸状菌と担子菌と栄養補助多糖類を添加し、水分を加え、撹拌し、前記菌を培養することで、前記汚染物質から前記セシウムを除去することを特徴とする放射性汚染物質の除染方法。
【請求項２】
前記菌の培養を、温度３５−７０℃、湿度６０−８０％で行うことを特徴とする請求項１に記載の除染方法。
【請求項３】
前記汚染物質は、樹木の落ち葉、稲ワラ、木材チップ、雑草、野菜の残渣を含むことを特徴とする請求項１に記載の除染方法。
【発明の詳細な説明】
【技術分野】
【０００１】
本発明は、原発事故により放射性汚染物質が付着した、落ち葉、麦わら、雑草、植物の残渣、木材チップ等からセシウムを除去する放射性汚染物質の除染方法に関する。
【背景技術】
【０００２】
福島の原発事故により放射性汚染物質が大量にまき散らされ、人々が苦しんでいることは報道等のとおりである。なかでも、セシウム１３７による汚染は深刻で、半減期が３０年程度と長く、その間に放射線を放出し続けるという問題がある。
【０００３】
放射性汚染物質の除染も検討されているが、例えば汚染された土の表面を剥ぎ取り、袋詰めして他の場所に移し替える等の対策であり、セシウム１３７等の放射性物質自体を根本的に除去するものではない。
【発明の概要】
【発明が解決しようとする課題】
【０００４】
本発明は、上述の事情に基づいてなされたもので、セシウム１３７等の放射性物質自体を根本的に除去することができる放射性汚染物質の除染方法を提供することを目的とする。
【課題を解決するための手段】
【０００５】
本発明の放射性汚染物質の除染方法は、セシウムを含有する放射性汚染物質に、糸状菌と担子菌と栄養補助多糖類を添加し、水分を加え、撹拌し、前記菌を培養することで、前記汚染物質から前記セシウムを除去することを特徴とする。
【発明の効果】
【０００６】
本発明によれば、糸状菌と担子菌が放射性汚染物質に作用し、セシウムを分解・分離する性質を有するので、前記汚染物質を培地として前記菌を培養することにより、前記汚染物質からセシウムを除去することが可能となる。
【図面の簡単な説明】
【０００７】
【図１】実験に用いた装置の説明図である。
【発明を実施するための形態】
【０００８】
図１は本発明者が放射性汚染物質の除染の実験に用いた装置を示す。透明な三角フラスコ１１に落ち葉等の放射性汚染物質Ｘを充填する。汚染物質Ｘは福島県南相馬市等から採取してきたもので、放射能が検出され、原発事故により飛散したセシウムを含むものと考えられる。そして、フラスコ１１を恒温・恒湿槽１２の内部に配置し、汚染物質Ｘが培地として好適な温度３５−７０℃、湿度６０−８０％となるように調整する。すなわち、この温度と湿度の範囲で、糸状菌と担子菌が最も活発に繁殖する。
【０００９】
さらに、コンプレッサ１３から送気管１４により空気を汚染物質Ｘの内部に注入する。そして、排気管１５とこれに接続したフィルタ１６を備え、フラスコ１１の内部の空気を濾過しつつ排気する。フィルタ１６は炭素とゼオライトからなる。さらに、汚染物質Ｘの内部を撹拌できるようになっている。従って、汚染物質Ｘは、温度３５−７０℃、湿度６０−８０％の恒温・恒湿下で、撹拌され、新鮮な空気が常に供給される環境になっている。
【００１０】
この環境下で、落ち葉等の汚染物質Ｘを培地として、糸状菌と担子菌と、ブドウ糖、果糖、オリゴ糖等の栄養補助多糖類を添加する。この実験では、糸状菌と担子菌はナリヒラ酵素ＳＢＮ−１１（商品名・特許第４１２９４７０号）の製造に用いる菌と同一の菌を使用している。すると、糸状菌と担子菌とが培養され、汚染物質Ｘを分解しつつ、菌の繁殖が進行する。実験では４０日間培養を継続した。その結果、目視では１／４程度の汚染物質Ｘが分解されて砂状となり、菌の増殖が観察された。
【００１１】
その時点で、培養を中止し、９０−１００℃に培地の温度を上げ、殺菌処理を行い、汚染物質Ｘの放射能を計測した。培養前後の放射能の計測結果を表１に示す。なお、放射能の計測は専門業者に依頼し、ゲルマニウム半導体検出器によるガンマ線スペクトロメトリーにより行った。
【００１２】
【表１】
2013217820.tif 000003
【００１３】
培養前には、セシウム１３４が３８４０Bq/kgであり、セシウム１３７が４８８０Bq/kgであった。バリウムは２７mg/kg存在した。これに対し、４０日間の培養後では、セシウム１３４が２７７０Bq/kgに２８％減少し、セシウム１３７が３８１０Bq/kgに２２％減少した。バリウムは３１mg/kg存在し、１５％増加した。
【００１４】
以上の結果から、落ち葉等の汚染物質Ｘを培地として、糸状菌と担子菌を培養することで、セシウム１３４，１３７が減少することが明らかである。そして、バリウムが増加していることが明らかである。なお、フィルタ１６からは放射能は全く検出されないので、セシウム１３４，１３７が系外に流出したとは考え難い。
【００１５】
セシウム１３４，１３７の減少の理由を推定すると、以下が考えられる。すなわち、培養中の糸状菌と担子菌の菌糸体細胞内より酵素およびムコ多糖類（生体高分子）が分泌される。そして、酵素およびムコ多糖類の加水分解で酸類などを生成し、その某体がセシウム核を崩壊させ、ベータ線を放出し、セシウムがバリウムに変化する。これにより、セシウムが減少し、バリウムが増加したと考えられる。
【００１６】
また、糸状菌と担子菌が放射性汚染物質からセシウム吸収する性質を有するので、落ち葉等の放射性汚染物質を培地として前記菌を培養することにより、前記汚染物質が分解され砂状になると共に、前記菌がセシウムを吸収し、前記汚染物質からセシウムが除去されたとも考えられる。
【００１７】
そもそも、セシウム１３７には生物濃縮という現象が知られている。例えば、海洋中に拡散したセシウム１３７はまずプランクトンに蓄積される。海洋中ではセシウム１３７は様々な化合物として存在しているのであろうが、微生物であるプランクトンが高い生物濃縮性を有することからも、本発明者が見いだした糸状菌と担子菌の培養で、微生物の作用によりセシウム１３７の培地からの吸収が可能となることも首肯できる。
【００１８】
次に、本発明の利用方法例について説明する。まず、稲ワラの除染に有効である。田圃の中で、稲ワラをカッターで切断せず、稲ワラをそのままの姿で敷き、稲ワラを放置する。そして、セシウムが吸着した汚染稲ワラを集めて糸状菌と担子菌の培養の培地とする。そして、糸状菌と担子菌と栄養補助多糖類を添加し、水分を加え、撹拌し、前記菌を培養することで、稲ワラに糸状菌と担子菌が繁殖し、稲ワラを砂状に分解すると共に糸状菌と担子菌がセシウムを分解/吸収し、汚染稲ワラからセシウムを除去することができる。
【００１９】
また、放射能を有する落ち葉、枯れ枝、枯れ木の除染に有効である。これらを集め培地とし、糸状菌と担子菌と栄養補助多糖類を添加し、水分を加え、撹拌し、前記菌を培養することで、これらを分解し砂状にすると共に、これらの菌がセシウムを分解/吸収し、汚染物質からセシウムを除去することが可能である。
【００２０】
同様に、放射能を有する木材チップ、雑草、植物の残渣、土壌等の除染に適用が可能である。
【００２１】
これまで本発明の一実施形態について説明したが、本発明は上述の実施形態に限定されず、その技術的思想の範囲内において種々異なる形態にて実施されてよいことは言うまでもない。
【産業上の利用可能性】
【００２２】
本発明は、原発事故により生じた、落ち葉、麦わら等の放射性汚染物質の除染に有用である。
【図１】
2013217820.tif 000004